(57)【要約】  【課題】パソコン操作などの際に腕や掌を置くのに便利な装置に関し、簡単かつ堅牢な構造で、腕の動きや移動が円滑となる腕置き装置を実現する。  【解決手段】デスクなどへの取付け固定手段に対し、鉛直軸を回動可能に設け、この鉛直軸の上端に、水平方向に延びる直進ガイドバーを固設し、この直進ガイドバーに沿って直進移動するスライダーを設け、このスライダーに腕置き体又は手置き体を設けてなる腕置き装置であり、腕置き体又は手置き体は、直進方向のスライド動作と鉛直軸の周りに旋回動作が可能。【選択図】          図４
2006331234.tif 000002
【特許請求の範囲】
【請求項１】
デスクなどへの取付け固定手段に対し鉛直軸を回動可能に設け、この鉛直軸に、水平方向に延びる直進ガイド手段を固設し、この直進ガイド手段に沿って直進移動するスライダーを設け、このスライダーに腕置き体又は手置き体を設けてなることを特徴とする腕置き装置。
【請求項２】
前記の直進ガイド手段が、同一水平面内の２本の平行バーから成り、前記のスライダーは、前記２本の平行バーが挿入される２本のガイド孔を有していることを特徴とする請求項１に記載の腕置き装置。
【請求項３】
前記の腕置き体の下面に前記のスライダーを有し、このスライダーは、腕置き体の全長並びに直進ガイド手段より短いことを特徴とする請求項１または請求項２に記載の腕置き装置。
【請求項４】
デスクなどへの取付け固定手段に鉛直軸を回動可能に設け、この鉛直軸に、水平方向に延びる直進ガイド手段を固設し、この直進ガイド手段に沿って直進移動するスライダーを設け、スライダーに腕置き体又は手置き体を設けてなる腕置き装置において、
直進方向に長い腕置き体を用いると共に、その長手方向に沿って腕を置くか、長手方向に対し直交する方向に腕を置くことを特徴とする腕置き装置の使用方法。
【請求項５】
デスクなどへの取付け固定手段に鉛直軸を回動可能に設け、この鉛直軸に、水平方向に延びる直進ガイド手段を固設し、この直進ガイド手段に沿って直進移動するスライダーを設け、このスライダーに腕置き体又は手置き体を設けてなる腕置き装置を左右２セットをデスクなどに取付け装備することによって、左右両方の腕や手を腕置き体や手置き体に載せて操作作業を行なうことを特徴とする腕置き装置の使用方法。
【発明の詳細な説明】
【技術分野】
【０００１】
本発明は、パソコン操作などのようなデスクワークをする場合に腕や掌を置くのに便利な装置に関する。
【背景技術】
【０００２】
実用新案登録第3058606 号に記載のように、楽な姿勢で容易にキーボードとマウスを操作することのできるマウスと腕の支え台を提供すべく、デスクなどへの取付け固定部に対し、鉛直軸の周りに回動する第１アームの先端に、鉛直軸を介して回動可能に連結した第２アームの先端に腕受け板を軸支する構造が提案されている。
【特許文献１】実用新案登録第3058606
【発明の開示】
【発明が解決しようとする課題】
【０００３】
この構造だと、腕受け板とデスク側との間に軸支連結部が３箇所も有るため、腕受け板が自由自在に移動でき、自由度が高いという利点はあるが、片持ち梁構造が連続する複雑な構成となり、２本のアームの両端に腕の荷重がかかるため、無理な負荷が作用して安定性が悪くなり、かつ動作の円滑を欠く、磨耗損傷や変形が生じやすいなどの問題が多い。
【０００４】
したがって、腕の荷重を受けても安定性が阻害されず、かつ腕を自由自在に移動できる、構造が簡素で堅牢な腕置き装置が望まれる。本発明の技術的課題は、このような問題に着目し、構造が簡素で堅牢であり、かつ腕や各部の動きや移動が円滑な腕置き装置を実現することにある。
【課題を解決するための手段】
【０００５】
本発明の技術的課題は次のような手段によって解決される。請求項１は、デスクなどへの取付け固定手段に対し鉛直軸を回動可能に設け、この鉛直軸に、水平方向に延びる直進ガイド手段を固設し、この直進ガイド手段に沿って直進移動するスライダーを設け、このスライダーに腕置き体又は手置き体を設けてなることを特徴とする腕置き装置である。
【０００６】
このように、デスクなどへの取付け固定手段に対し鉛直軸を回動可能に設け、この鉛直軸に、水平方向に延びる直進ガイド手段を固設する構造を採っているため、デスクなどへの取付け固定手段に支持する鉛直軸とその軸受け部を十分に長くできるので、この鉛直軸に固設した直進ガイド手段を、鉛直軸を中心に回動させる場合でも堅牢となり、安定性が良い。また、直進ガイド手段に沿って、腕置き体や手置き体が直進移動する構造であるため、腕置き体や手置き体を直進方向に往復動させるだけで、腕や手の移動が容易になると共に腕や手を置く位置を自由に選べる。しかも、腕置き体や手置き体を往復スライドさせても、安定性が阻害されることはない。
【０００７】
請求項２は、前記の直進ガイド手段が、同一水平面内の２本の平行バーから成り、前記のスライダーは、前記２本の平行バーが挿入される２本のガイド孔を有していることを特徴とする請求項１に記載の腕置き装置である。このように、直進ガイド手段は２本の平行バーから成り、前記のスライダーは、前記２本の平行バーが挿入される２本のガイド孔を有している構造であるため、２本のガイド孔の中に２本の平行バーを挿入した状態では、スライダーが円滑に往復動でき、直進移動が円滑になる。また、２本の平行バーの自由端からスライダーのガイド孔中に自由に抜き差しできるため、腕置き体と手置き体との交換が容易になる。
【０００８】
請求項３は、前記の腕置き体の下面に前記のスライダーを有し、このスライダーは、腕置き体の全長並びに直進ガイド手段より短いことを特徴とする請求項１または請求項２に記載の腕置き装置である。このように、腕置き体の下面のスライダーは、腕置き体の全長並びに直進ガイド手段より短いため、スライダーは直進ガイド手段の範囲内でスライド移動でき、しかも両端まで移動しても、腕置き体のスライダーより長い部分が、さらに直進ガイド手段より突出するので、腕置き体を長く利用できる。したがって、腕を載せる位置の選択範囲か広がる。
【０００９】
請求項４は、デスクなどへの取付け固定手段に鉛直軸を回動可能に設け、この鉛直軸に、水平方向に延びる直進ガイド手段を固設し、この直進ガイド手段に沿って直進移動するスライダーを設け、スライダーに腕置き体又は手置き体を設けてなる腕置き装置において、
直進方向に長い腕置き体を用いると共に、その長手方向に沿って腕を置くか、長手方向に対し直交する方向に腕を置くことを特徴とする腕置き装置の使用方法である。
【００１０】
このように、幅寸法より直進方向に長い腕置き体を用いると共に、その長手方向に沿って腕を置くこともでき、また長手方向に対し直交する方向に腕を置くこともできるため、マウスなどの操作が容易な方法で作業できるし、疲れが溜まらないような方法で作業することもでき、任意の使いかたができる。したがって、臨機応変にどの方法でも採用でき、便利である。
【００１１】
請求項５は、デスクなどへの取付け固定手段に鉛直軸を回動可能に設け、この鉛直軸に、水平方向に延びる直進ガイド手段を固設し、この直進ガイド手段に沿って直進移動するスライダーを設け、このスライダーに腕置き体又は手置き体を設けてなる腕置き装置を左右２セットをデスクなどに取付け装備することによって、左右両方の腕や手を腕置き体や手置き体に載せて操作作業を行なうことを特徴とする腕置き装置の使用方法である。
【００１２】
このように、左右２セットの腕置き装置を使用して、デスクなどの左右両側に取付けると、左右両方の腕や手を腕置き体や手置き体に載せてキーボード操作などを行なうことができ、長時間連続してキーボード操作ばかりを行なうような場合に便利である。
【発明の効果】
【００１３】
請求項１のように、デスクなどへの取付け固定手段に対し、鉛直軸を回動可能に設け、この鉛直軸に、水平方向に延びる直進ガイド手段を固設する構造を採っているため、デスクなどへの取付け固定手段に支持する鉛直軸を十分に長くできるので、この鉛直軸に固設した直進ガイド手段を、鉛直軸を中心に回動させする場合でも堅牢となり、安定性が良い。また、直進ガイド手段に沿って、腕置き体や手置き体が直進移動する構造であるため、腕置き体や手置き体を直進方向に往復動させるだけで、腕や手の移動が容易になる。しかも、腕置き体や手置き体を往復スライドさせても、安定性が阻害されることはない。
【００１４】
請求項２のように、直進ガイド手段は２本の平行バーから成り、前記のスライダーは、前記２本の平行バーが挿入される２本のガイド孔を有している構造であるため、２本のガイド孔の中に２本の平行バーを挿入した状態では、スライダーが円滑に往復動でき、直進移動が円滑になる。また、２本の平行バーの自由端からスライダーのガイド孔中に自由に抜き差しできるため、腕置き体と手置き体との交換が容易になる。
【００１５】
請求項３のように、腕置き体の下面のスライダーは、腕置き体の全長並びに直進ガイド手段より短いため、スライダーは直進ガイド手段の範囲内でスライド移動でき、しかも両端まで移動しても、腕置き体のスライダーより長い部分が、さらに直進ガイド手段より突出するので、腕置き体を長く利用できる。したがって、例えば交差する方向に腕を載せて使用するときは、腕を載せる位置の選択範囲か広がる。
【００１６】
請求項４のように、直進方向に長い腕置き体を用いると共に、その長手方向に沿って腕を置くこともでき、また長手方向に対し直交する方向に腕を置くこともできるため、マウスなどの操作が容易な方法で作業することもできるし、疲れが溜まらないような方法で作業することもでき、任意の方法で作業できる。したがって、臨機応変にどの方法でも採用でき、便利である。
【００１７】
請求項５のように、左右２セットの腕置き装置を使用して、デスクなどの左右両側に取付けると、左右両方の腕や手を腕置き体や手置き体に載せてキーボード操作などを行なうことができ、長時間連続してキーボード操作ばかりを行なうような場合に便利である。
【発明を実施するための最良の形態】
【００１８】
次に本発明による腕置き装置とその使用方法が実際上どのように具体化されるか実施形態を説明する。図１は本発明による腕置き装置の正面側から見た斜視図であり、机板１の端部に固定され固定具２の軸受け部３中に挿入されている鉛直軸４の上端に固設されたガイドバー５を有している。そして、操作者の腕部６を載せる腕枕７の底面に固設したスライド筒８のガイド孔中に、前記のガイドバー５を挿通してある。図１では、ガイドバー５上の腕枕７は机板１に対しほぼ直角になっているのに対し、図２のように、前記のガイドバー５を、鉛直軸４を中心にして机板１と平行方向に回動させることができる。
【００１９】
図３は、固定具２を背面側から見た斜視図であり、Ｌ字状の固定具２の下端から、机板１の下側に延びたアーム９のメネジ部に締めつけ用のオネジ棒１０が螺合している。したがって、万力と同様にして、机板１を挟んで締めつけ固定することによって、机板１に取付け固定される。固定具２のＬ字状の鉛直部の背面に、鉛直方向の軸受け筒部３を一体に設けてあり、その中に、鉛直軸４が挿入されている。そして、この鉛直軸４の上端の、鉛直軸４より大径のヘッド部４ｈの両側面に、２本のガイドバー５、５の一端を溶接固定してある。他端はフリー状態にする。
【００２０】
図３では、鉛直軸４の上端と下端が見えやすいように、腕枕７を幾分持ち上げた状態になっている。この図からも明らかなように、鉛直方向の軸受け３に挿入されている鉛直軸４の上端にガイドバー５を水平方向に固設してあるので、ガイドバー５は、鉛直軸４を中心にして、水平面内で３６０度回転できる。その結果、ガイドバー５並びに腕枕７は、図１のように机板１と直角方向に、あるいは図２のように机板１と平行方向に向けることができる。
【００２１】
腕枕７の下面に固設された円筒状のスライド筒８中に前記のガイドバー５が挿通されているので、このガイドバー５に沿って、腕枕７を自由に直進方向に往復スライド移動させることによって、操作者が使い易いような位置を選択できる。
【００２２】
図４は以上のような腕置き装置の分解斜視図であり、図１と同様に正面側から見た斜視図である。机板などに取付け固定するためのＬ字状の固定具の背面に鉛直方向の軸受け３を設けてある。この軸受け３の中に、ワッシャー１１を挟んで、鉛直軸４が挿入される。この鉛直軸４の上端の大径のヘッド部４ｈの両側面に２本のガイドバー５・５を互いに平行な状態に溶接固定してある。この鉛直軸４を、机板に固定された固定具２の軸受け３に挿入した状態が、図５であり、このように鉛直軸４を軸受け３中に挿入すると、ワッシャー１１の上でヘッド部４ｈが回動できるため、ガイドバー５・５が、鉛直軸４を中心にして、３６０度回動できる。
【００２３】
腕枕７の下面には、前記の２本のガイドバー５・５を挿通できる２本のスライド筒８・８を固設してあり、スライド筒８・８が上向きとなるように反転させると、図６のようになる。この腕枕７のスライド筒８・８中にガイドバー５・５を挿通したのが図１から図３である。このように、スライド筒８・８にガイドバー５・５を挿通した状態では、ガイドバー５・５に沿って、腕枕７が往復スライドできる。図４のように、スライド筒８・８は、腕枕７の全長の約半分以下と短く、かつ腕枕７のちょうど中央付近に固設してある。したがって、大径ヘッド部４ｈに当接するまでスライドさせた状態では、腕枕７は大径ヘッド部４ｈを越えた位置まで延長でき、腕の置ける領域を拡大できる。
【００２４】
腕枕７に代えて、手枕１２を用いることもできる。この手枕１２は、２本のスライド筒８・８を単に連結した形状とサイズになっており、連結部１３の上に掌部を載せるようになっている。この連結部１３の上に軟質の材料を重ねて、掌とソフトに接するようにしてもよい。この手枕１２の２本のスライド筒８・８のガイド孔中にガイドバー５・５に挿通した状態が図７であり、この手枕１２の上に図８のように掌を載せた状態で、筆記などの作業を行なう。このように手枕１２を使用する場合も、ガイドバー５・５に沿って直進方向に往復スライドさせることによって、手枕１２の位置を自由に選択できる。しかも、鉛直軸４を中心にして自由に旋回させて、手枕１２の旋回方向の位置も自由に選べる。
【００２５】
また、図１、図２のように、腕枕７を使用すると、マウスＭの操作などに便利である。この場合、図１のように、腕枕７を机板１を直角方向に回動させて、腕枕７のほぼ全長の上に腕６のほぼ全長を載せた状態で、マウスＭを手に持ってマウス操作できる。この状態で、腕枕７上の腕６を前後に動かせば、腕枕７全体をガイドバー５・５に沿って前後移動させることもできるので、マウス操作がより便利になる。
【００２６】
図２のように、鉛直軸４を中心にして腕枕７を９０度回動させて机板１と平行な状態とし、その上に腕６を載せてマウス操作することもできる。この場合は、腕枕７の上の腕６を左右に動かすと、腕枕７もガイドバー５・５に沿って左右にスライドするので、マウスＭの左右移動が楽になる。なお、腕枕７上の腕６を、鉛直軸４の真上から多少ずらした位置に置けば、腕６によって腕枕７に旋回力を付与することによって、腕枕７を鉛直軸４を中心に回動移動もできる。したがって、以上のように腕枕７を各方向に移動できるため、マウス操作が簡便になる。
【００２７】
図１、図７から明らかなように、スライド筒８・８すなわちスライダーは、ガイドバー５より短いので、ガイドバー５の範囲内でスライド移動できる。しかもスライド筒８・８は腕枕７よりも短いので、スライド筒８・８がガイドバー５の端部まで到達した場合でも、腕枕７はスライド筒８・８より長い領域がガイドバー５から更に突出することになる。その結果、長い腕枕７をスライド移動させることによって、腕枕７の全長よりも更に長く利用できる。したがって、例えば図１、図２のように、腕枕７に腕を載せて使用するときに、腕を載せる位置の選択範囲か広がる。なお、腕枕７はスライド筒８・８の両側より突出させる。スライド筒８・８の長さは、腕枕７およびガイドバー５の１／２〜１／３程度が適しているが、この範囲外でもよい。
【００２８】
腕枕７を使用する場合に、左右に腕枕７をセットして、左右の腕枕７・７の上に左右両方の腕６・６を載せることによって、パソコンなどのキーボードの操作を両手で行なうこともできる。図９は、パソコンのキー操作をしている状態であり、右手側だけが図示されている。左手側の腕枕７も机板１の左側に取付け固定しておき、左側の腕枕７に左腕を載せれば、左右両腕を腕枕７・７の上に載せた状態で、両手でキーボードを操作できるので、キー操作も非常に楽になる。
【００２９】
スライド筒８・８がガイドバー５から抜ける恐れがある場合は、スライド筒８・８を装着した状態で、ガイドバー５の先端にナットやピンを取付けておけば、容易に離脱防止が可能である。
【産業上の利用可能性】
【００３０】
以上のように、腕枕又は手枕の下面に固設したスライド筒に、机板などへの固定具に支持した鉛直軸上端に固定したガイドバーを挿入した構造になっているため、腕枕や手枕をガイドバーの方向に往復直進させたり、鉛直軸を中心に旋回させたりすることによって、操作者の腕や掌を載せる位置を自由に選択でき、疲れにくいように、かつ操作性のよい位置を選べるので、長時間作業に適している。パソコン操作に限らず、机上で半田付けなどのような手作業を続ける場合など、用途は広い。しかも、構造が堅牢で動作も円滑となり、故障が少なく、耐久性に優れている。
【図面の簡単な説明】
【００３１】
【図１】本発明による腕置き装置の正面側から見た斜視図である。
【図２】図１の腕枕を机板と平行方向に回動させた状態である。
【図３】固定具を背面側から見た斜視図である。
【図４】腕置き装置の分解斜視図である。
【図５】固定具の軸受けに鉛直軸を挿入した状態の斜視図である。
【図６】図５の腕枕を上向きに反転させた状態である。
【図７】手枕のスライド筒中にガイドバーを挿通した状態の斜視図である。
【図８】手枕の上に掌を載せた状態である。
【図９】パソコンのキー操作をしている状態である。
【符号の説明】
【００３２】
１  机板
２  固定具  
３  軸受け部
４  鉛直軸  
５  ガイドバー  
６  腕部
７  腕枕
８  スライド筒（ガイド孔）
９  アーム
１０  オネジ棒
１１  ワッシャー                                                        
１２  手枕
１３  連結部
【図１】
2006331234.tif 000003
【図２】
2006331234.tif 000004
【図３】
2006331234.tif 000005
【図４】
2006331234.tif 000006
【図５】
2006331234.tif 000007
【図６】
2006331234.tif 000008
【図７】
2006331234.tif 000009
【図８】
2006331234.tif 000010
【図９】
2006331234.tif 000011